(57)【特許請求の範囲】
【請求項１】
ハウジングとその開口部を覆うアウタレンズによって画成された灯室内に、光源である発光素子と、該発光素子からの光を入射させて導光及び反射させることによって発光する導光体を収容して成る車両用灯具において、
前記導光体は、正面視で車両内側から車両側部に向かって直線状に延びる透明樹脂により構成され、その端部に前記発光素子と対向する入射面を備えており、
前記導光体の光出射方向前方には、透明なインナレンズが当該導光体に沿って配置され、
前記インナレンズは、前記導光体の光出射方向前方が開口したエクステンションを覆っており、
前記導光体は、棒状の肉厚部と、当該肉厚部より薄い厚みで灯具前方方向に延びるヒレ状部が当該肉厚部と一体に形成されており、
前記肉厚部は、前記エクステンションによって囲まれた空間の中であって、当該肉厚部を車両の斜め方向から見た場合に前記エクステンションにより遮られて当該肉厚部を直接見ることができない角度範囲より奥まった位置に配置されており、
前記ヒレ状部は、前記奥まった位置から、前記開口に向かって前記肉厚部から延びて形成され、前記角度範囲に位置し、
前記ヒレ状部が前記発光素子からの光が出射する発光部であることを特徴とする車両用灯具。
【発明の詳細な説明】
【技術分野】
【０００１】
本発明は、発光素子からの光によって導光体を発光させる車両用灯具に関するものである。
【背景技術】
【０００２】
例えば、車両の前部左右に配置されるコンビネーションヘッドランプは、ハウジングとその開口部を覆うアウタレンズによって画成される灯室内に、異なる機能を有するハイビーム用及びロービーム用ヘッドランプ、ターンシグナルランプ、ポジションランプ等を収容して一体的に構成されている。
【０００３】
斯かるコンビネーションヘッドランプの小型化等を目的として、複数のランプの少なくとも１つ、例えばポジションランプの光源にＬＥＤ（発光ダイオード）等の発光素子を使用し、該発光素子からの光を導光体に導いて該導光体を発光させる構成が採用されている（例えば、特許文献１，２参照）。
【先行技術文献】
【特許文献】
【０００４】
【特許文献１】特開２０１３−１６１６９７号公報
【特許文献２】特開２０１３−１９１４１２号公報
【発明の概要】
【発明が解決しようとする課題】
【０００５】
ところで、図４の部分断面図に示すように、導光体１０４がエクステンション１０５，１０６によって囲まれる空間の奥まった位置に配置されているような車両用灯具においては、導光体１０４を外部から見た場合に図示の角度範囲θにおいては導光体１０４が見えないため、導光体１０４の見えない部分が暗くなって車両用灯具全体の見栄えが悪くなるという問題があった。
【０００６】
本発明は上記問題に鑑みてなされたもので、その目的とする処は、導光体に外部から見えない範囲が存在しても、その部分が暗くなることによる見栄えの低下を防ぐことができる車両用灯具を提供することにある。
【課題を解決するための手段】
【０００７】
上記目的を達成するため、本発明は、ハウジングとその開口部を覆うアウタレンズによって画成された灯室内に、光源である発光素子と、該発光素子からの光を入射させて導光及び反射させることによって発光する導光体を収容して成る車両用灯具において、
前記導光体は、正面視で車両内側から車両側部に向かって直線状に延びる透明樹脂により構成され、その端部に前記発光素子と対向する入射面を備えており、
前記導光体の光出射方向前方には、透明なインナレンズが当該導光体に沿って配置され、
前記インナレンズは、前記導光体の光出射方向前方が開口したエクステンションを覆っており、
前記導光体は、棒状の肉厚部と、当該肉厚部より薄い厚みで灯具前方方向に延びるヒレ状部が当該肉厚部と一体に形成されており、
前記肉厚部は、前記エクステンションによって囲まれた空間の中であって、当該肉厚部を車両の斜め方向から見た場合に前記エクステンションにより遮られて当該肉厚部を直接見ることができない角度範囲より奥まった位置に配置されており、
前記ヒレ状部は、前記奥まった位置から、前記開口に向かって前記肉厚部から延びて形成され、前記角度範囲に位置し、
前記ヒレ状部が前記発光素子からの光が出射する発光部であることを特徴とする。
【発明の効果】
【０００８】
本発明によれば、外部から導光体が見えない部分が存在しても、導光体の外部から見えない角度範囲に設けられたヒレ状の発光部が発光するため、導光体に暗くなる部分が存在せず、導光体の全体が略均一に光って見えるために車両用灯具の見栄えの低下が防がれる。
【図面の簡単な説明】
【０００９】
【図１】本発明に係る車両用灯具（コンビネーションヘッドランプ）の斜視図である。
【図２】本発明に係る車両用灯具要部の斜視図である。
【図３】図２のＡ−Ａ線断面図である。
【図４】従来の車両用灯具の部分断面図である。
【発明を実施するための形態】
【００１０】
以下に本発明の実施の形態を添付図面に基づいて説明する。
【００１１】
図１は本発明に係る車両用灯具の斜視図、図２は同車両用灯具要部の斜視図、図３は図２のＡ−Ａ線断面図である。
【００１２】
本実施の形態に係る車両用灯具１は、車両の前部左右に配置されるコンビネーションヘッドランプであって、図１に示すように、ハウジング２とその前面開口部を覆う不図示のアウタレンズによって画成られた灯室内には、異なる機能を有する複数のランプ、具体的には不図示のヘッドランプとターンシグナルランプ、ポジションランプ３等を収容して構成されている。尚、左右の車両用灯具１の基本構成は同じであるため、以下、一方（車両左側）の車両用灯具１についてのみ説明する。
【００１３】
前記ポジションランプ３は、光源として不図示のＬＥＤを使用し、該ＬＥＤからの光を導光体４内に入射させて内部を導光させつつ反射させることによって該導光体４を発光させるものであって、図３に示すように、導光体４は、左右のエクステンション５，６によって囲まれる空間の奥まった位置に配置されている。ここで、導光体４の光出射方向前方（車両前方）の左右のエクステンション５，６の開口部には、透明なインナレンズ７が導光体４に沿って配置されており、導光体４の後方（図３の上方）には、導光体４から車両後方に向けて出射する光を車両前方に向けて反射させるリフレクタ８が導光体４に沿って配置されている。尚、インナレンズ７の内面には配光用のレンズカット７ａが施されている。又、リフレクタ８の断面凹曲面状の内面は反射面８ａを構成しており、この反射面８ａにはアルミ蒸着等の反射処理が施されている。
【００１４】
ところで、ポジションランプ３に設けられた導光体４とその前面側を覆うインナレンズ７は、図１に示すように（図１にはインナレンズ７のみ図示）、正面視で車両内側から車両側部に向かって斜め上方に直線状に延びた後に斜め上方に向かって立ち上がり、その後は車両側部に向けて斜め上方に向かって直線状に延びている。ここで、導光体４は、透明なアクリルやポリカーボネート等の透明樹脂によって構成されており、その車両内側端面は入射面を構成しており、この入射面に対向するようにＬＥＤが配置されている。
【００１５】
而して、本実施の形態に係る車両用灯具１においては、図３に示すように、ポジションランプ３に設けられた導光体４がエクステンション５，６によって囲まれる空間の奥まった位置に配置されているため、該導光体４を外部から見た場合に図示の角度範囲θにおいては導光体４を直接見ることができない。このため、本実施の形態では、導光体４の外部から直接見ることができない図３に示す角度範囲θの部位に、ヒレ状の発光部４ａを一体に形成している。
【００１６】
以上のように構成されたポジションランプ３において、光源である不図示のＬＥＤに電流が供給されて該ＬＥＤが発光すると、このＬＥＤからの光は、導光体４の車両内側端部の入射面から該導光体４の内部に入射する。そして、導光体４の内部に入射した光は、全反射しながら導光体４内を車両内側から外側に向かって進み、その過程で導光体４の外へと出射した光がリフレクタ８の反射面８ａで反射して車両前方へと向かい、この光は、インナレンズ７と不図示のアウタレンズを透過して配光が制御されて車両前方へと照射される。従って、ポジションランプ３においては、導光体４の全体が発光し、歩行者や他車のドライバが当該ポジションランプ３を視認することができる。
【００１７】
而して、本実施の形態に係る車両用灯具１に設けられたポジションランプ３においては、前述のように外部から導光体３が見えない部分が存在しても、該導光体４の見えない角度範囲θ（図３参照）の部位に一体に形成されたヒレ状の発光部４ａが発光する。このため、導光体４に暗くなる部分が存在せず、導光体４の全体が略均一に光って見えるために車両用灯具１の見栄えの低下が防がれるという効果が得られる。
【００１８】
尚、以上は本発明をコンビネーションヘッドランプに設けられるポジションランプに対して適用した形態について説明したが、本発明は、ＬＥＤ等の発光素子とその光によって発光する導光体を備える他の任意の車両用灯具に対しても同様に適用可能であることは勿論である。
【符号の説明】
【００１９】
１      車両用灯具
２      ハウジング
３      ポジションランプ
４      導光体
４ａ    導光体の発光部
５，６  エクステンション
７      インナレンズ
７ａ    インナレンズのレンズカット
８      リフレクタ
８ａ    リフレクタの反射面
【図１】
0006406694.tif 000002
【図２】
0006406694.tif 000003
【図３】
0006406694.tif 000004
【図４】
0006406694.tif 000005